(57)【特許請求の範囲】
【請求項１】
略パイプ状に形成されるとともに下部を構成する支持部材と、前記支持部材の上方に着脱可能に連結され、水流路、湯流路、混合水流路、及び、浄化用水流路が形成される流動管体と、前記流動管体の上方に配置され、吐水、止水、及び吐水量の調節や、吐水の温度調節を行うセラミックカートリッジと、を備え、キッチンにおけるカウンターの天板上に配置される、水栓本体と、
前記水栓本体における支持部材の外側に延出するスパウトと、
一端が前記キッチンにおけるカウンターの天板の下方の空間において水を供給する止水栓に連結されるとともに、他端が前記水栓本体における支持部材内を通って前記流動管体の水流路の下端に連結される給水管と、
一端が前記キッチンにおけるカウンターの天板の下方の空間において湯を供給する止水栓に連結されるとともに、他端が前記水栓本体における支持部材内を通って前記流動管体の湯流路の下端に連結される給湯管と、
一端が前記キッチンにおけるカウンターの天板の下方の空間において浄水器に連結されるとともに、他端が前記水栓本体における支持部材内を通って前記流動管体の浄化用水流路の下端に連結される浄化用水供給管と、
一端が前記キッチンにおけるカウンターの天板の下方の空間において前記浄水器に連結される浄水供給管と、
一端が前記キッチンにおけるカウンターの天板の下方の空間において前記浄水供給管の他端に連結されるともに、他端が前記水栓本体における支持部材内を通って前記流動管体の混合水流路の下端に連結される混合水管と、
一端が前記キッチンにおけるカウンターの天板の下方の空間において前記浄水供給管の他端及び前記混合水管の一端に連結されるとともに、他端が前記水栓本体における支持部材内から外側に向かって前記スパウト内に挿入されるシャワーホースと、
を具備し、
水が前記給水管から前記水栓本体の水流路へ供給され、また、湯が前記給湯管から前記水栓本体の湯流路へ供給されて、前記水及び前記湯が、前記水栓本体の水流路内及び湯流路内を上方へ流動して、前記セラミックカートリッジ内へ浸入し、前記カートリッジ内で混合されて混合水となり、前記混合水が、前記カートリッジから前記水栓本体の混合水流路へ供給され、前記水栓本体の混合水流路内を下方に流動して前記混合水管へ受け継がれ、前記シャワーホースへ案内され、前記スパウトの先端から吐出可能に構成されるとともに、前記水が前記水栓本体の水流路内を上方へ流動して、前記セラミックカートリッジ内へ浸入して、前記カートリッジ内から前記水栓本体の浄化用水流路へ浸入して、前記水栓本体の浄化用水流路内を下方に流動して前記浄化用水供給管を通じて前記浄水器へ案内され、前記浄水器で浄化されて浄水となり、前記浄水は、前記浄水供給管を通り、前記混合水管へと導かれ、前記シャワーホースへ案内され、前記スパウトの先端から吐出可能に構成される、
複合シャワー水栓であって、
前記スパウトの先端からの浄水の吐水と止水とを切換える切換弁が、前記水栓本体の流動管体に配置されて、前記水栓本体における支持部材の外側から前記スパウトが延出する部分より上方に配置される、
複合シャワー水栓。
【請求項２】
前記キッチンにおけるカウンターの天板の下方の空間に収納される前記浄水器を備える、請求項１に記載の複合シャワー水栓。
【発明の詳細な説明】
【０００１】
【発明の属する技術分野】
本発明は、例えば、水、湯、及び混合水を吐水する吐水口と、浄水を吐水する吐水口とを備えた、複合型混合水栓に係り、特に、水、湯、及び混合水を吐水する吐水口が構成されるシャワーヘッドを水栓本体に着脱可能に取付けた複合シャワー水栓に関する。
【０００２】
【従来の技術】
従来から、水、湯、及び、水と湯との混合水を、吐水口から吐水可能に構成し、例えば、シングルレバーを操作して、湯水の吐水、止水、及び吐水温度の調節を行うように構成した、混合水栓は知られている。
このような混合水栓には、水、湯、及び混合水を吐出する吐水口を、水栓本体から延出するスパウトに着脱可能に構成して、該吐水口から浄水器で浄化した浄水をも吐水可能とした複合式混合水栓がある。
この吐水口からの浄水の吐水及び止水は、切換弁にて切換えるように構成され、該切換弁は、水栓本体におけるスパウト支持部よりも下方の部分に取り付けられていた。
また、複合式混合水栓は、さらに、吐水口からの吐水を直流吐水と散水吐水とに切り換える機能を有する、複合シャワー水栓に構成されたものもあった。
【０００３】
【発明が解決しようとする課題】
前述の如く構成された複合シャワー水栓においては、浄水の吐水と止水とを切り換える切換弁が、水栓本体におけるスパウト支持部より下方に配設されているが、スパウト支持部の下方位置には、吐水口が構成されるシャワーヘッドへの給水を行うためのシャワーホースが水栓本体内に嵌通しているため、切換弁を取り付けるためには水栓本体が大径化したり、切換弁が水栓本体から大きく突出してしまったりしていた。
また、水栓本体に水平方向へ回動可能に取り付けられるスパウトが、切換弁の操作部の上方に位置しているときには、該スパウトが切換弁を操作する手に当たって操作がやりにくいことがあった。
【０００４】
【課題を解決するための手段】
本発明の解決しようとする課題は以上の如くであり、次に該課題を解決するための手段を説明する。
即ち、請求項１に記載のごとく、  略パイプ状に形成されるとともに下部を構成する支持部材と、前記支持部材の上方に着脱可能に連結され、水流路、湯流路、混合水流路、及び、浄化用水流路が形成される流動管体と、前記流動管体の上方に配置され、吐水、止水、及び吐水量の調節や、吐水の温度調節を行うセラミックカートリッジと、を備え、キッチンにおけるカウンターの天板上に配置される、水栓本体と、
前記水栓本体における支持部材の外側に延出するスパウトと、
一端が前記キッチンにおけるカウンターの天板の下方の空間において水を供給する止水栓に連結されるとともに、他端が前記水栓本体における支持部材内を通って前記流動管体の水流路の下端に連結される給水管と、
一端が前記キッチンにおけるカウンターの天板の下方の空間において湯を供給する止水栓に連結されるとともに、他端が前記水栓本体における支持部材内を通って前記流動管体の湯流路の下端に連結される給湯管と、
一端が前記キッチンにおけるカウンターの天板の下方の空間において浄水器に連結されるとともに、他端が前記水栓本体における支持部材内を通って前記流動管体の浄化用水流路の下端に連結される浄化用水供給管と、
一端が前記キッチンにおけるカウンターの天板の下方の空間において前記浄水器に連結される浄水供給管と、
一端が前記キッチンにおけるカウンターの天板の下方の空間において前記浄水供給管の他端に連結されるともに、他端が前記水栓本体における支持部材内を通って前記流動管体の混合水流路の下端に連結される混合水管と、
一端が前記キッチンにおけるカウンターの天板の下方の空間において前記浄水供給管の他端及び前記混合水管の一端に連結されるとともに、他端が前記水栓本体における支持部材内から外側に向かって前記スパウト内に挿入されるシャワーホースと、
を具備し、
水が前記給水管から前記水栓本体の水流路へ供給され、また、湯が前記給湯管から前記水栓本体の湯流路へ供給されて、前記水及び前記湯が、前記水栓本体の水流路内及び湯流路内を上方へ流動して、前記セラミックカートリッジ内へ浸入し、前記カートリッジ内で混合されて混合水となり、前記混合水が、前記カートリッジから前記水栓本体の混合水流路へ供給され、前記水栓本体の混合水流路内を下方に流動して前記混合水管へ受け継がれ、前記シャワーホースへ案内され、前記スパウトの先端から吐出可能に構成されるとともに、前記水が前記水栓本体の水流路内を上方へ流動して、前記セラミックカートリッジ内へ浸入して、前記カートリッジ内から前記水栓本体の浄化用水流路へ浸入して、前記水栓本体の浄化用水流路内を下方に流動して前記浄化用水供給管を通じて前記浄水器へ案内され、前記浄水器で浄化されて浄水となり、前記浄水は、前記浄水供給管を通り、前記混合水管へと導かれ、前記シャワーホースへ案内され、前記スパウトの先端から吐出可能に構成される、
複合シャワー水栓であって、
前記スパウトの先端からの浄水の吐水と止水とを切換える切換弁が、前記水栓本体の流動管体に配置されて、前記水栓本体における支持部材の外側から前記スパウトが延出する部分より上方に配置される、ものである。
【０００５】
請求項２に記載のごとく、前記キッチンにおけるカウンターの天板の下方の空間に収納される前記浄水器を備える、ものである。
【０００６】
【発明の実施の形態】
次に、発明の実施の形態を説明する。
【０００７】
図１は本発明の複合シャワー水栓を設置したキッチンのシンクを示す側面図、図２は本発明の複合シャワー水栓を示す側面図、図３は複合シャワー水栓を示す正面図、図４は複合シャワー水栓を示す側面断面図、図５は水栓本体を示す側面断面図、図６は図５におけるＡ−Ａ断面図、図７は図５におけるＢ−Ｂ断面図、図８は図５におけるＣ−Ｃ断面図、図９は図１乃至図８に示した複合シャワー水栓に装着されたスパウトを水、湯及び混合水と浄水とを別個の吐水口から吐出するスパウトに交換した複合シャワー水栓を示す側面断面図、図１０は図９におけるＣ−Ｃ断面図、図１１は図１乃至図８に示した複合シャワー水栓から浄水の吐水と止水とを切換える切換弁を取り外したシャワー水栓を示す側面断面図である。
【０００８】
まず、本発明の複合シャワー水栓を配置したキッチンのシンク内部について、図１により説明する。キッチンのカウンター天板１に複合シャワー水栓２が取付けられ、該カウンター天板１の手前下方にはシンク３が配設されている。該シンク３の底部には排水ホース４が連通され、通常収納空間とされている該シンク３の下方の空間には、水道水を浄化する浄水器カートリッジ５が収納されている。また、シンク３の下方の壁には、水、又は、湯を供給する給水口に連結された止水栓６・７が取付けられている。
【０００９】
止水栓６には給水管１１が、止水栓７には給湯管１２が、水の逆流を防止する逆止弁８を介して連結され、該給水管１１及び給湯管１２は、複合シャワー水栓２に下端から嵌入して、該複合シャワー水栓２に水及び湯を供給している。また、前記浄水器カートリッジ５と複合シャワー水栓２とは、浄化用水供給管１５及び浄水供給管１６によって連結されている。該浄水管１６はシャワーホースへとつながる混合水管１３と連結されている。
複合シャワー水栓２から水道水を、浄化用水供給管１５を通じて浄水器カートリッジ５へ供給して、該浄水器カートリッジ５で浄化した後に、浄水は浄水供給管１６に導かれ、混合水管１３へと案内される。
複合シャワー水栓２の下端からは前記混合水管１３が延出して、該混合水管１３の先端がシャワーホース１４の一端と連結されている。該シャワーホース１４は複合シャワー水栓２内へ嵌入して、その他端が水、湯、又は混合水を吐水するシャワーヘッド２３と接続されている。
【００１０】
図２、図３において、複合シャワー水栓２の上端部にはシングルレバー２１が配設されており、該シングルレバー２１を上下左右に操作することで、水栓本体２０から延出したスパウト３０の先端部に取付けたシャワーヘッド２３から、水、湯、又は混合水の吐水、止水を行ったり、吐水の温度調節を行うよう構成している。
シャワーヘッド２３からの吐水は、通常の直流吐水と、シャワー状に吐出する散水吐水とに切換えることができ、この切換えは、シャワーヘッド２３先端部に設けた吐水切換スイッチ２３ａの操作により行う。
【００１１】
また、スパウト３０は、スパウト本体２２とスパウトジョイント２４とで構成され、該スパウト本体２２は水栓本体２０に回転自在に嵌合して、該スパウト本体２２の先端部にスパウトジョイント２４を連結している。
スパウト本体２２の上方における水栓本体２０内には、浄水の吐水と止水とを切換える切換弁２９が配設され、切換弁２９には該切換弁２９を操作する切換弁操作レバー２８を取付けている。そして、該切換え操作レバー２８を吐水側に切換えられたとき、浄水がシャワーヘッド２３より吐水する構成となっている。そして、水栓本体２０における、スパウト本体２２配設部より上方の切換弁２９配設部は、水栓本体カバー６１によって覆われている。
【００１２】
前記シャワーヘッド２３はスパウト３０に着脱可能に取付けられており、シャワーヘッド２３をスパウト３０から取り外して吐水することができる。そして、シャワーヘッド２３に水、湯、又は混合水を供給する後述のシャワーホース１４は、スパウト３０及び水栓本体２０の内部を、摺動自在に嵌通している。
シャワーヘッド２３は、ヘッド本体２３ｂとジョイント２５とで構成され、該ヘッド本体２３ｂの吐水口２３ｃから吐水を行うようにしている。該シャワーヘッド２３の後部に位置するジョイント２５を、スパウト３０のスパウトジョイント２４に嵌合して、シャワーヘッド２３をスパウト３０へ取付けている。
【００１３】
次に、図４乃至図８により、複合シャワー水栓２の吐水機構について説明する。水栓本体２０は、支持部材２０ｃの上方に流動管体２０ｂを着脱可能に連結して構成している。
支持部材２０ｃは、側壁が一部欠けた略パイプ状に形成され、該支持部材２０ｃ内にはシャワーホース通路２０ａが形成されている。流動管体２０ｂには、水が流動する水流動管５１や湯が流動する湯流動管５２などが形成され、また、浄水の吐水と止水とを切り換える切換弁２９が着脱可能に内蔵されている。
【００１４】
水栓本体２０の上部には、吐水、止水、及び吐水量の調節や、吐水の温度調節を行うセラミックカートリッジ３１が配設され、該セラミックカートリッジ３１は、カートリッジ押さえ２７を水栓本体２０の流動管体２０ｂに螺嵌することで、水栓本体２０上端に固定されている。
また、セラミックカートリッジ３１上端部から上方に突出しているスピンドル３１ａには、シングルレバー２１が固設されて、セラミックカートリッジ３１を操作するように構成している。
【００１５】
図５に示すように、水栓本体２０の支持部材２０ｃに形成されたシャワーホース通路２０ａ内には、シャワーホース１４が嵌通している。
該支持部材２０ｃ内には、前記切換弁２９などの他の収納物がないので、支持部材２０ｃ内に、シャワーホース１４が嵌通するシャワーホース通路２０ａを形成しても、切換弁２９を収納した場合に比べて、該支持部材２０ｃを小径に形成することができ、複合シャワー水栓をコンパクトに構成することができる。
そして、支持部材２０ｃ内におけるシャワーホース１４の周囲には、給湯管１２、混合水管１３、浄化用水供給管１５、及び給水管１１が嵌通している。支持部材２０ｃの上部に連結された前記流動管体２０ｂには水流路５１及び湯流路５２が形成され、該水流路５１下端の連結部５１ｃには給水管１１が連結され、湯流路５２下端の連結部５２ｃには給湯管１２が連結されている。また、流動管体２０ｂには、混合水流路５３ａ及び浄化用水流路５５が形成されて、それぞれ混合水管１３及び浄化用水供給管１５と連結されている。
【００１６】
そして、水が給水管１１から水流路５１へ供給され、また、湯が給湯管１２から湯流路５２へ供給されて、水及び湯は、水流路５１内、及び湯流路５２内を上方へ流動する。水流路５１内、及び湯流路５２内を上方へ流動した水及び湯は、該水流路５１、及び給湯管１２上端部に形成された水溜まり部５１ａ及び湯溜まり部５２ａに溜まる。この状態において、水溜まり部５１ａ及び湯溜まり５２ａ部の上方に配設したセラミックカートリッジ３１を操作すると、該カートリッジ３１により設定された吐水量や吐水温度に応じた量の水と湯とが、水溜まり部５１ａ及び湯溜まり部５２ａの水湯供給口５１ｂ・５２ｂからセラミックカートリッジ３１内へ浸入する。
【００１７】
セラミックカートリッジ３１内へ浸入した水と湯とは、該カートリッジ３１内で混合されて、その後、カートリッジ３１内から、流動管体２０ｂに形成された混合水流路５３ａへ供給される。混合水流路５３ａへ供給された混合水は、該混合水流路５３ａ内を下方に流動して、該混合水流路５３ａと接続される混合水管１３へ受け継がれ、該混合水管１３と連結したシャワーホース１４へ案内される。前記シャワーホース通路２０ａを嵌通するシャワーホース１４は、更に、スパウト本体２２に形成したホース通路２２ｂとスパウトジョイント２４に形成したホース通路２４ｃとを嵌通して、シャワーヘッド２３に連結されている。
【００１８】
そして、シャワーホース１４へ案内された混合水は、シャワーホース１４内を流動してシャワーヘッド２３のヘッド本体２３ｂにおける吐水口２３ｃから吐出される。ヘッド本体２３ｂからの吐水は、吐水量及び吐水温度をシングルレバー２１の操作により調節することができるが、これは、シングルレバー２１を操作することでセラミックカートリッジ３１が操作され、該セラミックカートリッジ３１内に浸入する水と湯との量が変化するためである。
【００１９】
前記水流路５１には、図５に示す連絡流路５１ｄが水溜まり部５１ａから分岐して形成され、前記切換弁２９に連結されている。そして、切換弁２９には、浄化用水流路５５を連結して、該切換弁２９を開くと、連絡流路５１ｄと浄化用水流路５５とが連通し、該切換弁２９を閉じると連絡流路５１ｄと浄化用水流路５５とが分断されるように構成している。
図５においては切換弁２９が開いた状態を示しており、水流路５１内を流動する水が、連絡流路５１ｄと切換弁２９とを通じて、浄化用水流路５５へ浸入する。浄化用水流路５５へ浸入した水は、浄化用水として、浄化用水供給管１５を通じて該浄水器カートリッジ５へ案内される。
【００２０】
該浄水器カートリッジ５へ案内された浄化用水は、該浄水器カートリッジ５で浄化されて浄水となり前記浄水供給管１６を通り、混合水管１３へと導かれ、シャワーホース１４へ案内される。該浄水器カートリッジ５から吐水口までの通路として、水栓本体においては混合水の通過する管を浄水供給管として併用することで、切換弁２９を水栓本体の下端部に配置した従来の水栓の如くの構成に比べて、水栓本体２０内を通過する管が１本省略されることとなり、水栓本体２０を小型化・小径化することができるとともに、内部構造をより簡易にすることができる。
【００２１】
前記流動管体２０ｂは、前述のように、支持部材２０ｃの上端部に連結されて、該支持部材２０ｃと、流動管体２０ｂと、セラミックカートリッジ３１が内装されるカートリッジ押さえ２７とで水栓本体２０を構成している。
支持部材２０ｃにはスパウト本体２２が嵌装されて、該支持部材２０ｃの外周を覆っている。
また、スパウト本体２２の上方に配設される水栓本体カバー６１は、流動管体２０ｂに上下摺動自在に嵌装され、該流動管体２０ｂの外周を覆っている。流動管体２０ｂ内には前記切換弁２９が配設され、該切換弁２９は流動管体２０ｂ及び水栓本体カバー６１の側面方向から、該流動管体２０ｂへ嵌入している。そして、切換弁２９は、流動管体２０ｂに螺嵌した弁ホルダ６２を介して、該流動管体２０ｂに取付けられ、該弁ホルダ６２の外側から六角ナット６３を螺嵌することで、切換弁２９を流動管体２０ｂ内に固定している。
また、切換弁２９の、流動管体２０ｂより外部に突出した部分には、ビスなどを用いて切換弁操作レバー２８を取付固定し、該切換弁操作レバー２８により切換弁２９を操作するようにしている。
【００２２】
切換弁２９は、流動管体２０ｂに着脱可能に取付けられており、該切換弁２９が劣化したり、故障した場合などには交換できるように構成している。切換弁２９を流動管体２０ｂから取り外す場合は、切換弁２９から切換弁操作レバー２８を取り外し、弁ホルダ６２から六角ナット６３を取り外した後に、切換弁２９を取り出せばよい。
【００２３】
この切換弁２９を流動管体２０ｂから取り外した状態において、該流動管体２０ｂに螺嵌している弁ホルダ６２、及び流動管体２０ｂ上端部に螺嵌したカートリッジ押さえ２７を取り外すと、流動管体２０ｂに嵌装している水栓本体カバー６１が上下方向に摺動可能となる。そして、水栓本体カバー６１を上方に抜き去ると、該水栓本体カバー６１の下方で、支持部材２０ｃに嵌装したスパウト本体２２が上下方向に摺動可能となり、水栓本体カバー６１と同様に、水栓本体２０から上方へ抜き去ることができるように構成している。
【００２４】
浄水の吐水・止水の切換えを行う切換弁及び切替弁操作レバーを、水栓本体のスパウト配設部より上方に配設した構成において、従来のように水栓本体を全て鋳物で構成すると、スパウトは水栓本体の下方からしか抜き去ることができなくなり、例えば、スパウトと水栓本体との間に介装したパッキング部材を交換する場合などは、一旦複合水栓を、キッチンのカウンターから取り外した後に交換を行わなければならず、作業が煩雑になる。
それに対して、前述のように、水栓本体２０の支持部材２０ｃに嵌装したスパウト３０のスパウト本体２２を、水栓本体２０の上方から嵌脱可能に構成すると、例えば、スパウト本体２２と支持部材２０ｃとの間に介装したパッキング部材６５・６５を交換する場合などに、水栓本体２０をキッチンのカウンターなどに設置したままでも、スパウト本体２２を水栓本体２０の上方へ抜き去って交換することができるので、このパッキング部材６５・６５の交換などの作業が簡便になって、手軽に行えることとなる。
【００２５】
そして、前記流動管体２０ｂの外周は水栓本体カバー６１によって覆われ、また、支持部材２０ｃの外周はスパウト本体２２により覆われており、通常本水栓を使用するときには外から見えないので、該流動管体２０ｂ外周面に、化粧用のメッキを施す必要がない。これにより、複合シャワー水栓を低コストで構成することができ、また、鋳物などにより形成される支持部材２０ｃ及び流動管体２０ｂの構造が簡単になるので、高い歩留りで製造することが可能となる。
【００２６】
次に、シャワーヘッド２３及びスパウト３０について説明する。スパウト３０は前述のように、水栓本体２０に回転自在に嵌装されたスパウト本体２２と、該スパウト本体２２の先端部に連結されたスパウトジョイント２４とで構成されて
いる。スパウト本体２２にはホース通路２２ｂが形成され、スパウトジョイント２４にはホース通路２４ｃが形成されている。
【００２７】
シャワーヘッド２３は、前述のように、ヘッド本体２３ｂとジョイント２５とで構成されており、該ヘッド本体２３ｂには吐水切換スイッチ２３ａを設けて、ヘッド本体２３ｂからの吐水を直流吐水と散水吐水とに切り換えるように構成し
ている。ヘッド本体２３ｂには、該ヘッド本体２３ｂに水、湯、又は混合水を供給するシャワーホース１４が、ジョイント部材４４を介して連結されている。ヘッド本体２３ｂにシャワーホース１４が連結されている連結部よりも、水栓本体２０側において、シャワーヘッド２３をスパウト３０に取付けるジョイント２５が、ヘッド本体２３ｂに嵌合固定されている。
【００２８】
そして、ジョイント２５は、前述のようにスパウト３０のスパウトジョイント２４に嵌合するように形成され、ジョイント２５がスパウトジョイント２４に嵌合取付けされた状態で、前記ジョイント部材４４がスパウトジョイント２４のホース通路２４ｃ内に入り込まないように構成している。このように、シャワーホース１４より大径のジョイント部材４４が、ホース通路２４ｃ内に入り込まないように構成しているので、該ホース通路２４ｃを小径に形成することができる。また、ヘッド本体２３ｂとジョイント２５とを分割可能に構成しているので、Ｕパッキン等のパッキング部材４６の交換などの修理や、メンテナンスを容易に行うことができる。
【００２９】
また、図４において前記水栓本体は、スパウト３０を装着したスパウト装着部１００、切換弁２９装着部を装着した切換弁装着部１０１、及びセラミックカートリッジ３１を含むカートリッジ部１０２から構成され、水栓本体は、図４に示す、水、湯及び混合水、並びに浄水を同一の吐水口から吐出するスパウト３０と図９に示す、水、湯及び混合水と浄水とを別個の吐水口から吐出するスパウト３０' のいずれをも装着可能に構成している。
即ち、図４に示す水栓におけるスパウト装着部１００の支持部材２０ｃを、図９に示す水栓におけるスパウト装着部１００' の支持部材２０ｃ' に取り換えることで、水栓本体に装着するスパウトを、水、湯及び混合水、並びに浄水を同一の吐水口から吐出するスパウト３０から、水、湯及び混合水と浄水とを別個の吐水口から吐出するスパウト３０' へ変更することが可能となっている。
このように、本水栓においては、水栓本体のスパウト装着部１００・１００' を水栓仕様に応じて変更するのみで、スパウト３０とスパウト３０' を適宜選択して取り付けることが可能となっている。
スパウト３０を装着した仕様の水栓においては、浄水器カートリッジ５で浄化された浄水はシャワーホース１４へ案内される混合水管１３へと導かれるが、スパウト３０' を装着した仕様の水栓においては、浄水器カートリッジ５で浄化された浄水は、浄水供給管１６から、水栓本体２０の支持部材２０ｃに形成された図１０に示す浄水流路５６へ案内される。
さらにこの浄水は、浄水流路５６から連絡路５６ａを介して、支持部材２０ｃに嵌合するスパウト本体２２内に形成された浄水通路２２ａヘ受け継がれる。スパウト本体２２内の浄水通路２２ａを流動する浄水は、その後、スパウト本体２２先端部に連結したスパウトジョイント２４内の浄水通路２４ｂへ受け継がれて、該スパウトジョイント２４下面に設けた浄水吐水口２４ａから吐出される。
このように、スパウト３０を装着した仕様の水栓と、スパウト３０' を装着した仕様の水栓とを、スパウトとスパウト装着部の支持部材を交換するのみで構成することができ、両仕様の水栓における、スパウト３０・３０' と支持部材２０ｃ・２０ｃ' 以外の構成部品を共通化することができ、部品種類削減と管理の容易化を図ることができ、水栓を低コストで構成することができる。
【００３０】
さらに、前記水栓本体２０のカートリッジ部１０２においては、カートリッジ押さえ２７及びセラミックカートリッジ３１が水栓本体２０に対して着脱可能に装着されており、切換弁装着部１０１はスパウト装着部１００に対して着脱可能に装着されている。
そして、該スパウト装着部１００と、前記カートリッジ部１０３とが連結可能に構成されている。
これにより、複合シャワー水栓２は、水栓本体２０に切換弁装着部１０１を装着した仕様（図４図示の仕様）から、切換弁装着部１０１を取り外して、スパウト装着部１００とカートリッジ部１０３とを連結するだけで、浄水を吐出する機能を省いた仕様の水栓（図１１図示の仕様）を構成することができる。
即ち、浄水を吐出可能な浄水仕様と、浄水を吐出しない浄水なし仕様とを、切換え弁装着部１０１の着脱のみで構成することが可能となる。
これにより、浄水仕様と浄水なし仕様との構成部品を共通化することができ、部品種類削減と管理の容易化を図ることができて、水栓を低コストで構成することができる。
【００３１】
【発明の効果】
本発明は以上の如く構成したので、次のような効果を奏する。
即ち、水栓本体における切換弁が配置される部分（水栓本体の流動管体）に、シャワーホースを貫通させるためのスペースがいらず、また水栓本体内を通過する管部材の本数を減少させることができるため、複合シャワー水栓の水栓本体を小径に形成することができて、複合シャワー水栓をコンパクトに構成することが可能となり、すっきりした外観とすることができて優れたデザインの複合シャワー水栓が構成することができる。
また、水栓本体における切換弁の配置部分を通過する水流路を減少することができるので、水栓本体の構造を簡易化することができ、鋳物で作成される水栓本体の製造を容易として歩留まりを向上することができ、生産性向上、コスト低減を図ることができる。
また、吐水口からの浄水の吐水と止水とを切換える切換弁が、前記水栓本体における支持部材の外側から前記スパウトが延出する部分より上方に配置されることで、切換弁が前記水栓本体における支持部材の外側から前記スパウトが延出する部分より下方に配置される場合のように、切換弁操作時にスパウトが邪魔になることがなくなり、切換弁が操作しやすい。
また、浄水器から吐水口までの通路を、キッチンにおけるカウンターの天板の下方の空間において浄水供給管及び混合水管に連結されるシャワーホースとすることで、切換弁を水栓本体の下端部に配置した従来の水栓の構成に比べて、水栓本体（水栓本体の支持部材）内を通過する管が１本省略されることとなり、水栓本体を小型化・小径化することができるとともに、内部構造をより簡易にすることができる。
【図面の簡単な説明】
【図１】  本発明の複合シャワー水栓を設置したキッチンのシンクを示す側面図である。
【図２】  本発明の複合シャワー水栓の側面図である。
【図３】  同じく複合シャワー水栓の正面図である。
【図４】  複合シャワー水栓を示す側面断面図である。
【図５】  水栓本体を示す側面断面図である。
【図６】  図５におけるＡ−Ａ断面を示す図である。
【図７】  図５におけるＢ−Ｂ断面を示す図である。
【図８】  図５におけるＣ−Ｃ断面を示す図である。
【図９】  図１乃至図８に示した複合シャワー水栓に装着されたスパウトを水、湯及び混合水と浄水とを別個の吐水口から吐出するスパウトに交換した複合シャワー水栓を示す側面断面図である。
【図１０】  図９におけるＣ−Ｃ断面図を示す図である。
【図１１】  図１乃至図８に示した複合シャワー水栓から浄水の吐水と止水とを切換える切換弁を取り外したシャワー水栓を示す側面断面図である。
【符号の説明】
２０  水栓本体
２０ａ  シャワーホース通路
２０ｂ  水流管体
２０ｃ  支持部材
２１  シングルレバー
２２  スパウト本体
２３  シャワーヘッド
２４  スパウトジョイント
２７  カートリッジ押さえ
２８  切換弁操作レバー
２９  切換弁
３０  スパウト
３１  セラミックカートリッジ
６１  水栓本体カバー
【図１】
0004705730.tif 000002
【図２】
0004705730.tif 000003
【図３】
0004705730.tif 000004
【図４】
0004705730.tif 000005
【図５】
0004705730.tif 000006
【図６】
0004705730.tif 000007
【図７】
0004705730.tif 000008
【図８】
0004705730.tif 000009
【図９】
0004705730.tif 000010
【図１０】
0004705730.tif 000011
【図１１】
0004705730.tif 000012